(57)【特許請求の範囲】
【請求項１】
無線送受信ユニット（ＷＴＲＵ）であって、
複数のセルからのダウンリンク送信の測定から複数のチャネル品質インジケータ（ＣＱＩ）を決定するように構成されたプロセッサと、
物理制御チャネル上の伝送時間間隔（ＴＴＩ）の中で制御情報をネットワークに送信するように構成された前記プロセッサおよび送信機と
を備え、
前記複数のセルの第１のセルに対するＣＱＩは、少なくとも１つのＴＴＩ隔てられているＴＴＩのセットの中で送信され、および、前記複数のセルの第２のセルに対するＣＱＩは、ＴＴＩの前記セットの中で送信されず、
前記ＷＴＲＵによって受信された制御信号に関連して構成されたタイマの満了に応答して、ＣＱＩの前記送信は前記第１のセルに対して停止され、および、ＣＱＩの前記送信は前記第２のセルに対して継続する
ことを特徴とするＷＴＲＵ。
【請求項２】
前記プロセッサおよび前記送信機は、前記複数のＣＱＩを示している制御情報の送信と単一のＣＱＩを示している制御情報の送信とを切り替えるようにさらに構成されたことを特徴とする請求項１に記載のＷＴＲＵ。
【請求項３】
前記複数のＣＱＩは、異なるノードＢに関連付けられていることを特徴とする請求項１に記載のＷＴＲＵ。
【請求項４】
前記物理制御チャネルは、高速個別物理制御チャネル（ＨＳ−ＤＰＣＣＨ）であることを特徴とする請求項１に記載のＷＴＲＵ。
【請求項５】
前記複数のセルは、高速ダウンリンクパケットアクセス（ＨＳＤＰＡ）サービングセルであることを特徴とする請求項１に記載のＷＴＲＵ。
【請求項６】
無線送受信ユニット（ＷＴＲＵ）によって実行される方法であって、
前記ＷＴＲＵによって、複数のセルからのダウンリンク送信の測定から複数のチャネル品質インジケータ（ＣＱＩ）を決定するステップと、
前記ＷＴＲＵによって、物理制御チャネル上の伝送時間間隔（ＴＴＩ）の中で制御情報をネットワークに送信するステップであって、前記複数のセルの第１のセルに対するＣＱＩは、少なくとも１つのＴＴＩ隔てられているＴＴＩのセットの中で送信され、および、前記複数のセルの第２のセルに対するＣＱＩは、ＴＴＩの前記セットの中で送信されない、ステップと
を備え、前記ＷＴＲＵによって受信された制御信号に関連して構成されたタイマの満了に応答して、ＣＱＩの前記送信は前記第１のセルに対して停止され、および、ＣＱＩの前記送信は前記第２のセルに対して継続することを特徴とする方法。
【請求項７】
前記ＷＴＲＵによって、前記複数のＣＱＩを示している制御情報の送信と単一のＣＱＩを示している制御情報の送信とを切り替えるステップをさらに備えたことを特徴とする請求項６に記載の方法。
【請求項８】
前記複数のＣＱＩは、異なるノードＢに関連付けられていることを特徴とする請求項６に記載の方法。
【請求項９】
前記物理制御チャネルは、高速個別物理制御チャネル（ＨＳ−ＤＰＣＣＨ）であることを特徴とする請求項６に記載の方法。
【請求項１０】
前記複数のセルは、高速ダウンリンクパケットアクセス（ＨＳＤＰＡ）サービングセルであることを特徴とする請求項６に記載の方法。
【発明の詳細な説明】
【技術分野】
【０００１】
本発明は、無線通信に関する。
【背景技術】
【０００２】
第３世代パートナーシッププロジェクト（３ＧＰＰ）は、１９９８年１２月に設立された共同作業協定である。この共同作業協定は、第３世代モバイル通信システム用のグローバルな仕様書および技術報告書を作成するために、多くの電気通信の標準規格を収集している。ＨＳＤＰＡ（High-speed Downlink Packet Access）は、３ＧＰＰの詳細仕様書のリリース５で紹介された特徴である。ＨＳＤＰＡは、３つの概念、すなわちＡＭＣ（Adaptive Modulation and Coding）、早い物理層の再送信（Hybrid ARQ）、及び速いノードＢスケジューリング、を使用して最大のスペクトル効率を達成する。
【０００３】
図１は、ＨＳＤＰＡを利用するように構成されたシステム１００のダイアグラムである。このシステム１００は、コアネットワーク１０２、及びこのコアネットワーク１０２と通信するＲＮＣ（radio network controller）１０４とを含んでいる。複数のノードＢ１０６は、ＲＮＣと通信する（明確化のため、図１では２つのノードＢしか示されていない。さらに多くのノードＢが単一のＲＮＣと通信可能であることが理解される。）。各ノードＢ１０６は、複数のセル１０８を制御する（再び、図１に示されたセル１０８の数は単なる例示である）。ＷＴＲＵ（wireless transmit/receive unit）１１０は、１または複数のセル１０８と通信可能である。
【０００４】
ＡＭＣは、ＷＴＲＵによって認識されたチャネルの条件に従って、ＨＳ−ＤＳＣＨ（High Speed Downlink Shared Channel）における送信データ転送速度を適応させる。具体的には、ノードＢは、ＨＳ−ＤＰＣＣＨ（High Speed Dedicated Physical Control Channel）上のＷＴＲＵから得られた以下の情報を使用して、最高のデータ転送速度、コーディング、及び伝送ブロックサイズを決定する。
１．ＷＴＲＵによって監視されるようなチャネルの条件を示すＣＱＩ（Channel Quality Indication）
２．速い再送信（ＨＡＲＱ）のために使用されるＡＣＫ／ＮＡＣＫ（Acknowledge/negative acknowledge）フィードバック
【０００５】
ハンドオーバは、ＷＴＲＵがサービスの中断なしに１のセルから他のセルに切り替えるプロセスである。ＨＳＤＰＡでは、高速の共有チャネルは単一のセル内のＷＴＲＵによって監視される。このセルは、「サービングＨＳ−ＤＳＣＨセル」と呼ばれる。ハンドオーバが発生すると、ＷＴＲＵは、新しいサービングＨＳ−ＤＳＣＨセル（ターゲットセル／ノードＢ）へ切り替え、古いサービングＨＳ−ＤＳＣＨセル（ソースセル／ノードＢ）との通信を停止することを必要とする。この手順は、サービングＨＳ−ＤＳＣＨのセルの変更（セルチェンジ）とも呼ばれている。
【０００６】
図２は、ハンドオーバの手順を実行する方法２００のフローチャートを示している。ＷＴＲＵは、近隣のセルの信号強度を連続的に測定する（ステップ２０２）。ＷＴＲＵは、測定された近隣のセルの信号強度をサービングセルからの信号の強度と比較する（ステップ２０４）。一旦、監視された近隣のセルのＣＰＩＣＨ（common pilot channel）上で測定された信号強度が、サービングセルの信号強度を上回れば、ＷＴＲＵは、ＲＮＣに対してセルの変更が必要であることを示す（「最高のセルの変更」と呼ばれる：ステップ２０６）。最高のセルの変更は、ＲＲＣ  ＭＥＡＳＵＲＥＭＥＮＴ  ＲＥＰＯＲＴのイベント１Ｄを通じてＷＴＲＵからＲＮＣに報告される。このレポートは、信号強度の測定値とセルＩＤとを含む。ＲＮＣはそこで、サービングＨＳ−ＤＳＣＨセルの変更が起こりそうかどうかの最終的な決定を行う。そして、ＷＴＲＵを新しいノードＢへ切り替えるため、ハンドオーバが実行される（ステップ２０８）。
【０００７】
新しいサービングＨＳ−ＤＳＣＨセルは、チャネル構成が起こる時にＷＴＲＵに対するダウンリンク送信を始める必要がある。最高の伝送速度と最大のスペクトル効率を達成するためには、ノードＢは、できるだけ早く新しいチャネルの条件に適応する必要がある。新しいセル内でＷＴＲＵによって測定されたチャネル品質の条件は、ターゲットのノードＢには知られていない。したがって、最大のＭＣＳ（Modulation Coding Scheme）はすぐには達成できない。ノードＢは、最適なデータ伝送速度での送信の前に、ＷＴＲＵから少数のＣＱＩのレポートを受信するために待機しなければならない。
【０００８】
ＣＱＩのレポートがノードＢに送信される前に、ターゲットのノードＢは、ＷＴＲＵがサポートするよりも低い速度で送信を開始する。これは、ノードＢが新しいチャネルの条件に適応できるまで、ＨＳＤＰＡのリソースを浪費することになる。新しいセルでダウンリンクチャネルの条件がより良好であるためにＲＮＣがノードＢの交換を実行したことに留意すると、セルの変更はキャパシティとリソースの浪費となる場合がある。
【発明の概要】
【発明が解決しようとする課題】
【０００９】
他方、適当な数のＣＱＩのレポートがターゲットのノードＢによって受信される前に、ターゲットのノードＢは、新しいチャネルの条件は古いチャネルよりも良好であると仮定して、ＨＳＤＰＡリソースの浪費を回避するために、より高いデータ伝送速度で送信を始めることができる。しかし、ＷＴＲＵは、ハンドオーバの後ですぐに不利なチャネルの条件を測定している場合があり、ＨＳ−ＤＳＣＨ上のデータを解読することは困難かもしれない。そのような問題は、ノードＢが新しいチャネルの条件に適応するまで、再送及びより高いエラー率を引き起こすだろう。
【００１０】
現在の３ＧＰＰリリース６の仕様書は、最適なＭＣＳの選択とハンドオーバが発生した後の新しいサービングセルにおけるＨＳ−ＤＳＣＨのスケジューリングに対するサポートを提供していない。
【課題を解決するための手段】
【００１１】
ＣＱＩ（channel quality indication）のレポート又は他の測定レポートの送信のため、ＷＴＲＵ（wireless transmit/receive unit）で実行される方法は、トリガを受信することによって開始する。ＣＱＩのレポートは、停止条件が達せられるまでハンドオーバのターゲットのノードＢへ送信される。ＷＴＲＵは、停止条件が達せられると、ターゲットのノードＢへＣＱＩのレポートを送信することを停止する。この方法を実行するように構成されるＷＴＲＵは、アンテナ、このアンテナに接続される送受信機、及びこの送受信機と通信するプロセッサを含み、このプロセッサは前記ＣＱＩのレポートをハンドオーバのターゲットのノードＢに送信するように構成される。
【００１２】
本発明のより詳しい理解は、以下の説明、示された実施形態、及び添付図面とともに得られるであろう。
【図面の簡単な説明】
【００１３】
【図１】ＨＳＤＰＡを利用するために構成されたシステムの図である。
【図２】ハンドオーバを実行する方法のフローチャートである。
【図３】２つの埋め込まれたＣＱＩのレポートを備えたＨＳ−ＤＰＣＣＨのシグナルの図である。
【図４】２つの埋め込まれたＣＱＩのレポートを備えた他のＨＳ−ＤＰＣＣＨのシグナルの図である。
【図５】ＣＱＩのレポートをターゲットのノードＢへ送信するための方法のフローチャートである。
【図６】ＣＱＩのレポートを送信及び受信するように構成されたＷＴＲＵ及びノードＢを示す図である。
【発明を実施するための形態】
【００１４】
「無線送受信ユニット（ＷＴＲＵ）」の用語は、本明細書で言及されるとき、ユーザ機器(ＵＥ)、移動局、固定された又は可搬性の加入者ユニット、ページャ、携帯電話、ＰＤＡ（personal digital assistant）、コンピュータ、又は無線環境で動作可能な他のタイプのユーザ装置を含むがこれに限定されない。「ベースステーション」の用語は、本明細書で言及されるとき、ノードＢ、サイトコントローラ、アクセスポイント（ＡＰ）、又は無線環境で動作可能な他のタイプのインターフェイス機器を含むがこれに限定されない。
【００１５】
以下に開示された実施形態は、ＨＳＤＰＡでハンドオーバの手順が発生した後に、新しいサービングノードＢ上で送信されるデータに関連している。具体的には、セルを変更する時（すなわち、新しいＨＳ−ＤＳＣＨでＷＴＲＵへデータ送信を始める前）のデータについて最適な伝送速度を判断するために、及びスケジューリングに要求されるＣＱＩのフィードバック情報をターゲットのノードＢに提供する方法が開示される。
【００１６】
以下に記述された実施形態がＷＣＤＭＡ（登録商標）システムに関連するとしても、記述された概念は、機動性やハンドオーバを支持する他の技術（ＷｉＭａｘなどのような）にも適用可能である。さらに、ＣＱＩのフィードバックは、他の技術において使用される他の測定レポートを参照することができる。
【００１７】
最初の実施形態は、ＷＴＲＵの、アクティブなセットの範囲内におけるノードＢへの既存のアップリンク接続を使用する。アクティブなセットは、１または複数のノードＢと共にＷＴＲＵとの間で確立されたすべての無線リンクを含む。ダウンリンク（ＤＬ）のサービングセルの変更がアクティブセットの中で生じる場合、ＷＴＲＵは、アップリンク（ＵＬ）の新しいノードＢとの既存の通信コンテクストを有している。加えて、サービングセルの変更がアクティブ  セット  アップデートと同時に発生した場合、新しく追加された近隣のノードＢへのＵＬ接続は、ＤＬサービングセルの変更の前に確立される。
【００１８】
この実施形態においては、ＷＴＲＵは、ハンドオーバ処理の間中、ＣＱＩのレポートをソースのノードＢ及びターゲットのノードＢの両方に送信することができる。ハンドオーバが完了するとき、ＷＴＲＵは、ＣＱＩのレポートを新しいサービングＨＳ−ＤＳＣＨセルだけに送信する。
【００１９】
ハンドオーバの処理の間、ＷＴＲＵは、知覚されたチャネルの品質を評価するためターゲットのノードＢからの多くのパラメータを監視する。この実施形態においては、ＷＴＲＵは、サービングノードＢのために現在定義されたのと同一のＣＱＩの測定値を報告する。
【００２０】
第２の実施形態においては、他の何れのダウンリンク基準チャネル上の測定値も、チャネルの品質を測定する基準を引き出すために使用されることができる。
【００２１】
第３の実施形態においては、ハンドオーバの処理の間、ＷＴＲＵは、ソースのノードＢ及びターゲットのノードＢの両方にＣＱＩの情報を送信するために同一のＨＳ−ＤＰＣＣＨ（high speed dedicated physical control channel）のコードを使用する。ターゲットのノードＢのためのＣＱＩのレポートは、ＨＳ−ＤＰＣＣＨサブフレーム内のソースのノードＢのＣＱＩの情報に付加される。
【００２２】
例えば、ＣＱＩ１及びＣＱＩ２は、ソースのノードＢ及びターゲットのノードＢのそれぞれのＣＱＩの情報に相当する。図３に示されたように、１のＨＳ−ＤＰＣＣＨサブフレーム３００は、ＨＡＲＱ−ＡＣＫ３０２、ＣＱＩ１（ターゲットのノードＢのレポート）３０４、及びＣＱＩ２（ソースのノードＢのレポート）３０６で構成される。スロットのフォーマットは、ハンドオーバの処理の間にＷＴＲＵがフォーマットを前後に切り替えることができる場面では、静的であるか（例えば、新しいスロットフォーマットが定義され常に使用される）又は動的である。
【００２３】
あるいはまた、フィードバックのメカニズムは、異なるＨＳ−ＤＰＣＣＨ上で情報を送信することを基礎にしている。ノードＢがアクティブセットに追加されるとき、それは新しいＨＳ−ＤＰＣＣＨのコードを割り当てられる。したがって、ノードＢは、監視するための異なるＨＳ−ＤＰＣＣＨのコードを有し、ＷＴＲＵは、そのアクティブセットの範囲内にある全てのノードＢに割り当てられたＨＳ−ＤＰＣＣＨのコードを認識している。
【００２４】
例えば、ＨＳ−ＤＰＣＣＨ１及びＨＳ−ＤＰＣＣＨ２のコードは、それぞれソースのノードＢ及びターゲットのノードＢに割り当てられる。ハンドオーバの間、ＷＴＲＵは、ＨＳ−ＤＰＣＣＨ２のコードに関するＣＱＩの情報をターゲットのノードＢへ送り始め、ＡＣＫ／ＮＡＣＫ及びＨＳ−ＤＰＣＣＨ１のコードに関するＣＱＩの情報をソースのノードＢへ送り続ける。ＨＳ−ＤＰＣＣＨ内のＣＱＩのフォーマットは同じままである。
【００２５】
第４の実施形態において、ノードＢに関連するＣＱＩは、１つおきのＴＴＩ（transmission time interval）ごと、又はＴＴＩの倍数ごとに送信され、異なるノードＢに関連するＣＱＩの送信は時間差が設けられる。図４に示されるように、ターゲットのノードＢのためのＣＱＩ（ＣＱＩ（ＮＥＷ））は、ソースのノードＢのためのＣＱＩ（ＣＱＩ（ＯＬＤ））とは異なるＨＳ−ＤＰＣＣＨサブフレーム内にある。第１のサブフレーム４００は、ＨＡＲＱ−ＡＣＫ４０２及びＣＱＩ（ＯＬＤ）４０４で構成され、第２のサブフレーム４１０は、ＨＡＲＱ−ＡＣＫ４１２及びＣＱＩ（ＮＥＷ）４１４で構成される。
【００２６】
この方法では、どのサブフレームが関連するＣＱＩを含むかを各ノードＢが決定することを可能にするというルールが確立される場合がある。このようなルールは、ＳＦＮに関連するＨＳ−ＤＰＣＣＨの送信のタイミングに基づく場合がある。あるいは、予め確立されたルールは定義されず、両方のノードＢが、どのサブフレームが自分自身の送信に関係するかを理解しようとする。典型的には、ターゲットのノードＢは、最大のＣＱＩが自身の送信に関係すると推定するが、一方でソースのノードＢは、保守的に最小のＣＱＩが自身の送信に関連すると推定する。
【００２７】
あるいは、ハンドオーバが生じるとすぐに、又は測定レポートが出された後の合間の時間に、ＷＴＲＵは、ＣＱＩのレポートをターゲットのノードＢにだけ連続的かつ頻繁に送信する。ＣＱＩのレポートの頻度は、通常の動作の間に使用される頻度よりも高い。より頻繁なＣＱＩのレポートは、ターゲットのノードＢがチャネルの条件に迅速に適合することを可能にする。速いＣＱＩのレポートの頻度は高位のレイヤによって構成され、ＷＴＲＵによって予め決定され、又は一定時間に連続するＴＴＩで連続的に送信されることができる。
【００２８】
第５の実施形態において、ＣＱＩのレポートは、任意の他の既存の又は新しいＬ１、Ｌ２又はＬ３のシグナリングのメカニズム／チャネルを使用することによって送信される。
【００２９】
第６の実施形態において、ＣＱＩのレポートは、Ｅ−ＤＣＨのチャネルへマッピングされる。
【００３０】
第７の実施形態において、ターゲットのノードＢへのＣＱＩは、イベント１Ｄ上のＷＴＲＵから送られる測定のレポートのメッセージなどの、ＲＲＣシグナリングを使用することで報告されることができる。ＲＮＣは、それから、ＷＴＲＵへの無線リンクを構成すると、ＣＱＩの測定値をターゲットのノードＢに転送する。
【００３１】
図５は、ＣＱＩのレポートをターゲットのノードＢへ送信する方法５００のフローチャートであり、上記した各々のＣＱＩのレポートの実施形態に関連して使用可能である。ＷＴＲＵが、ＣＱＩのレポートをターゲットのノードＢに送り始めるためのトリガを受信したかどうかが判断される（ステップ５０２）。トリガは、以下の条件の１又は任意の組み合わせに基づく。
【００３２】
１．イベント１Ｄの測定基準が満たされた直後。
【００３３】
２．イベント１Ｄの測定レポートを送信した後の時間間隔（Δｔ）。ここで、Δｔは、高位のレイヤでのシグナリングを通して設計可能なパラメータである。Δtの値の例は、30msと60msである。
【００３４】
３．サービングセルの変更を示しているＷＴＲＵによって、高位のレイヤでのシグナリング（例えば、トランスポート／物理チャネル又は無線ベアラの再構成）が受信されるとき。
【００３５】
４．ＷＴＲＵが、サービングセルの変更を示しているＲＲＣのアクティブセットの更新メッセージを受信するとき。ＣＱＩの情報は、ノードＢへのＵＬ通信が利用可能になるとすぐに送られることができる。
【００３６】
一旦、ＷＴＲＵがトリガの条件を受信すると、このＷＴＲＵは、上記した実施形態の何れかを使用して、ＣＱＩのレポートをターゲットのノードＢへ送り始める（ステップ５０４）。ＷＴＲＵは、周期的／連続的にＣＱＩのレポートを送信するか、又は予め設定された回数でＣＱＩのレポートを送信する（例えば、１回または２回）。連続的な送信の場合は、周期性は高位のレイヤのシグナリングを通して構成される。また、ハンドオーバが発生しない場合には、ターゲットのノードＢに対するＣＱＩのレポートの送信を停止するためのメカニズムが必要である。
【００３７】
停止条件が達せられたかどうかの決定がなされる（ステップ５０６）。以下のメカニズムは、停止条件を決定するために、単独で又は組み合わせて使用される。
【００３８】
１．タイマは、上記した何れかの条件を引き起こすことで開始したＷＴＲＵにおいて保持されることができる。ＷＴＲＵは、ハンドオーバが発生しているか又は設定された時間内に発生しそうであることの指示を受信しなければ、ＣＱＩのレポートの送信を停止する。
【００３９】
２．既存のハンドオーバの測定レポートのメカニズムを使用する。現在、ＷＴＲＵは、ＲＮＳがハンドオーバが発生していると示すまで、又は予め設定された時間まで、周期的にＲＲＣの測定レポートのメッセージをＲＮＣへ送る。ＷＴＲＵが、ハンドオーバが失敗したことによって測定レポートの送信を停止する場合に、このＷＴＲＵは、ＣＱＩのレポートの送信を停止する。
【００４０】
３．ターゲットのノードＢへのＣＱＩのレポートの送信を停止することをＷＴＲＵに示すため、既存の又は新しいＬ１、Ｌ２、又はＬ３のシグナリングを使用する。
【００４１】
停止条件が達せられなかった場合（ステップ５０６）、ＷＴＲＵは、ＣＱＩのレポートをターゲットのノードＢに送信し続ける（ステップ５０８）。停止条件が達せられた場合、ＷＴＲＵは、ＣＱＩのレポートをターゲットのノードＢに送信することを停止し（ステップ５１０）、この方法は終了する。
【００４２】
以下の条件の１又は組み合わせが生じた場合、ターゲットのノードＢは、ＷＴＲＵからのＣＱＩのレポートのデコードを開始することができる。
【００４３】
１．ＲＮＣから、このＷＴＲＵとのサービング無線リンクを再構成するためのシグナリングが受信された直後。ターゲットノードＢは、このメッセージをＣＱＩのレポートのデコードを開始するための内部のトリガとして使用できる。
【００４４】
２．ノードＢは、ＣＱＩのレポートが送られたかどうかを決定するために、ブラインド検出を使用する。
【００４５】
図６は、ＣＱＩのレポートを送信及び受信するように構成されたＷＴＲＵ６０２及びノードＢ６１０を示す図である。ＷＴＲＵ６０２は、アンテナ６０４、アンテナ６０４に接続された送受信機６０６、及びこの送受信機６０６と通信するプロセッサ６０８とを含む。プロセッサ６０８は、方法５００及びＣＱＩのレポートをノードＢ６１０に送信するための記述された何れかの実施形態を実行するために構成される。
【００４６】
ノードＢは、アンテナ６１２、このアンテナ６１２に接続された送受信機６１４、及びこの送受信機６１４と通信するプロセッサ６１６を含む。
【００４７】
特徴及び要素は、好ましい実施形態における特定の組合せの中で記述されたが、各々の特徴または要素は、他の特徴および要素なしに単独で、または、他の特徴や要素の有無に関わらない種々の組合せで、使用することができる。提供される方法またはフローチャートは、コンピュータプログラム、ソフトウェア、又はファームウェアの中で実行される。これらは、汎用コンピュータやプロセッサによって実行されるために、コンピュータで読み取り可能な記憶媒体に明確に具体化される。コンピュータで読み取り可能な記憶媒体の例として、ＲＯＭ（read only memory)、ＲＡＭ（random access memory）、レジスタ、キャッシュメモリ、半導体メモリデバイス、内蔵ハードディスクやリムーバブルディスクなどの磁気媒体、光磁気媒体、ＣＤ−ＲＯＭディスクなどの光学式媒体、及びＤＶＤ（di
gital versatile disks)を含む。
【００４８】
適当なプロセッサは、例として、汎用プロセッサ、専用プロセッサ、従来のプロセッサ、ＤＳＰ（digital signal processor）、複数のマイクロプロセッサ、ＤＳＰコアに関連する１または複数のマイクロプロセッサ、コントローラ、マイクロコントローラ、ＡＳＩＣｓ（Application Specific Integrated Circuits）、ＦＰＧＡｓ（Field Programmable Gate Arrays）回路、他のあらゆるタイプの集積回路(ＩＣ)、及び／又はステートマシンを含む。
【００４９】
ソフトウェアに関連するプロセッサは、無線送受信ユニット（ＷＴＲＵ）、ユーザ機器(ＵＥ)、端末装置、基地局、無線ネットワークコントローラ（ＲＮＣ）、又は任意のホストコンピュータを使用するための無線周波数トランシーバーを実行するために利用されることができる。ＷＴＲＵは、カメラ、ビデオカメラモジュール、テレビ電話、スピーカフォン、バイブレーション機器、スピーカ、マイクロフォン、テレビジョン送受信機、ハンズフリーヘッドセット、キーボード、ブルートゥース（登録商標）モジュール、ＦＭ（frequency modulated）ラジオユニット、液晶（ＬＣＤ）ディスプレイユニット、有機発光ダイオード（ＯＬＥＤ）、ディスプレイユニット、デジタル音楽プレイヤー、メディアプレイヤー、ビデオゲームプレイヤモジュール、インターネットブラウザ、及び／又は任意の無線ＬＡＮ（ＷＬＡＮ）モジュールなどのハードウェア及び／又はソフトウェアに実装されるモジュールとともに利用できる。
【００５０】
［実施形態］
１．ＷＴＲＵ（wireless transmit/receive unit）でＣＱＩ（channel quality indication）のレポートを送信することを実行するための方法において、トリガを受信するステップと、ＣＱＩのレポートをハンドオーバのターゲットのノードＢに送信するステップと、停止条件が達せられたかを決定するステップと、前記停止条件が達せられた場合に、ＣＱＩのレポートの送信を停止するステップとを含む。
２．実施形態１の方法において、前記トリガは、測定基準のイベント１Ｄが満たされることである。
３．実施形態１の方法において、前記トリガは、測定基準のイベント１Ｄが満たされた後の合間の時間である。
４．実施形態１の方法において、前記トリガは、サービングセルの変更の指示である。
５．実施形態４の方法において、前記指示は、高位のレイヤでのシグナリングを介して受信される。
６．実施形態４の方法において、前記指示は、無線リソース制御のアクティブセットを更新するメッセージを介して受信される。
７．実施形態１−６の何れか１の方法において、前記ＣＱＩのレポートは、ハンドオーバのターゲットのノードＢへ送られる。このノードＢは、ハンドオーバの処理の継続中は、ＷＴＲＵのアクティブセットに属している。
８．実施形態１−６の何れか１の方法において、前記ＣＱＩのレポートは、ＣＱＩのレポートをソースのノードＢに送るために使用される高速個別物理制御チャネルのコードを使用して、ハンドオーバのターゲットのノードＢへ送られる。
９．実施形態８の方法において、ターゲットのノードＢのためのＣＱＩのレポートは、ソースのノードＢのＣＱＩのレポートと共にサブフレーム内で送信される。
１０．実施形態１−６の何れか１の方法において、前記ＣＱＩのレポートは、ソースのノードＢで使用されるＨＳ−ＤＰＣＣＨのコードとは異なるＨＳ−ＤＰＣＣＨ（different high speed dedicated physical control channel）のコードを使用して、ハンドオーバのターゲットのノードＢへ送られる。
１１．実施形態１−６の何れか１の方法において、前記ＣＱＩのレポートは、１つおきの送信時間間隔でターゲットのノードＢへ送信される。
１２．実施形態１−６の何れか１の方法において、前記ＣＱＩのレポートは、ソースのノードＢのＣＱＩのレポートとは異なるサブフレーム内で、ターゲットのノードＢへ送信される。
１３．実施形態１−６の何れか１の方法において、前記ＣＱＩのレポートは、送信時間間隔の倍数ごとにターゲットのノードＢへ送信される。
１４．実施形態１−６の何れか１の方法において、前記ＣＱＩのレポートは、レイヤ１のシグナリング、レイヤ２のシグナリング、及びレイヤ３のシグナリングからなるグループから選択されたシグナリングを介してターゲットのノードＢへ送信される。
１５．実施形態１−６の何れか１の方法において、前記ＣＱＩのレポートは、強化された専用チャネルへマッピングされる。
１６．実施形態１−６の何れか１の方法において、前記ＣＱＩのレポートは、無線リソース制御シグナリングを介してターゲットのノードＢへ送信される。
１７．実施形態１−１６の何れか１の方法において、前記停止条件は、ＣＱＩのレポートを送信する予め設定された回数である。
１８．実施形態１−１７の何れか１の方法において、前記ＣＱＩのレポートはターゲットのノードＢへ周期的に送信され、前記停止条件は、トリガを受信すると開始するタイマである。
１９．実施形態１−１７の何れか１の方法において、  前記ＣＱＩのレポートはターゲットのノードＢへ周期的に送信され、前記停止条件は、無線ネットワーク制御装置へ送信された無線リソース制御の計測レポートのメッセージに基づいており、ＷＴＲＵが、ハンドオーバが失敗することによって測定レポートの送信を停止する場合に、このＷＴＲＵがＣＱＩのレポートをターゲットのノードＢへ送信することを停止する。
２０．実施形態１の方法において、前記トリガはハンドオーバであり、前記送信ステップは、ターゲットのノードＢに対して連続的なＣＱＩのレポートを送信することを含む。
２１．実施形態２０の方法において、前記ＣＱＩのレポートを送信する頻度は、高位のレイヤによって設定される。
２２．実施形態２０の方法において、前記ＣＱＩのレポートを送信する頻度は、ＷＴＲＵによって設定される。
２３．実施形態２０の方法において、前記ＣＱＩのレポートは、予め定められた期間に連続する送信時間間隔で連続的に送信される。
２４．実施形態１の方法において、前記トリガは、測定レポートが引き起こされた後の時間間隔であり、前記送信ステップは、ＣＱＩのレポートをターゲットのノードＢへ連続的に送信することを含む。
２５．実施形態２４の方法において、前記ＣＱＩのレポートを送信する頻度は、高位のレイヤによって設定される。
２６．実施形態２４の方法において、前記ＣＱＩのレポートを送信する頻度は、ＷＴＲＵによって設定される。
２７．実施形態２４の方法において、前記ＣＱＩのレポートは、予め定められた期間に連続する送信時間間隔で連続的に送信される。
２８．実施形態１の方法において、前記ＣＱＩのレポートは、ターゲットのノードＢへ周期的に送信され、前記停止条件はＷＴＲＵによって受信されるレイヤ１のシグナルに基づく。
２９．実施形態１の方法において、前記ＣＱＩのレポートは、ターゲットのノードＢへ周期的に送信され、前記停止条件はＷＴＲＵによって受信されるレイヤ２のシグナルに基づく。
３０．実施形態１の方法において、前記ＣＱＩのレポートは、ターゲットのノードＢへ周期的に送信され、前記停止条件はＷＴＲＵによって受信されるレイヤ３のシグナルに基づく。
３１．無線送受信ユニットにおいて、アンテナと、前記アンテナに接続される送受信機と、前記送受信機と通信するプロセッサとを含み、前記プロセッサは、ハンドオーバのターゲットのノードＢへチャネル品質表示のレポートを送信するように構成される。
３２．実施形態１−３０の何れか１の方法を実行するために構成された無線送受信ユニット。
【図１】
0006527027.tif 000002
【図２】
0006527027.tif 000003
【図３】
0006527027.tif 000004
【図４】
0006527027.tif 000005
【図５】
0006527027.tif 000006
【図６】
0006527027.tif 000007